(57)【要約】【課題】複数の視野角から見ることができるモニタを備える医療用測定装置を提供する。【解決手段】少なくとも一つの本体６０および透明表示ユニットを備える。本体６０は、体温、脈拍、血圧、血糖、血中酸素濃度、尿酸、コレステロール、ＰＨ値、体脂肪または骨密度などを測定するのに使用される。透明表示ユニットは、互いに対応した二つの表示面６１１、６１２備え、上述の情報を表示するのに使用される。この二つの表示面６１１、６１２は、鏡による反射または反転によって同一の情報を表示することができ、複数の人間が複数の視角から同時に見ることができる。【選択図】  図6
0003132045.tif 000002
【実用新案登録請求の範囲】
【請求項１】
少なくとも一つの情報を測定するのに使用される本体と、
互いに対応した二つの表示面を備え、前記情報を表示するのに使用される透明表示ユニットと、
を備えることを特徴とする医療用測定装置。
【請求項２】
前記情報は、画像、図形または文字などの形式で表示されることを特徴とする請求項１記載の医療用測定装置。
【請求項３】
前記透明表示ユニットの前記表示面は、鏡による反射または反転によって同一の情報を表示することを特徴とする請求項１記載の医療用測定装置。
【請求項４】
前記透明表示ユニットは、少なくとも一つの光源を備え、表示の補助をすることを特徴とする請求項１記載の医療用測定装置。
【請求項５】
前記表示ユニットは、少なくとも一つの有色光源を備え、前記透明表示ユニットに色の変化を生成することを特徴とする請求項１記載の医療用測定装置。
【請求項６】
前記透明表示ユニットの透明度は、０％より大きく１００％以下の間であることを特徴とする請求項１記載の医療用測定装置。
【請求項７】
前記透明表示ユニットは、少なくとも一色のレンズを備えることを特徴とする請求項１記載の医療用測定装置。
【請求項８】
前記情報は、体温、脈拍、血圧、血糖、血中酸素、尿酸、コレステロール、ＰＨ値、体脂肪または骨密度の少なくとも一つであることを特徴とする請求項１記載の医療用測定装置。
【考案の詳細な説明】
【技術分野】
【０００１】
本考案は、医療用測定装置に係り、特に互いに対応した二つの表示面を備える透明表示ユニットを利用した医療用測定装置に関する。
【背景技術】
【０００２】
図１は従来技術による医療用測定装置の一例を示す模式図である。図１において、医療用測定装置１は血圧測定装置であり、この医療用測定装置１は少なくとも、本体１０、モニタ１１、チューブ１２およびバンド１３を備える。チューブ１２およびバンド１３によって使用者の血圧情報を測定した後、その結果を本体１０のモニタ１１に画像、図形または文字などの形式によって表示する。
【０００３】
図２は、従来技術による医療用測定装置の他の一例を示す模式図である。図２において、医療用測定装置２は多機能測定装置であり、この医療用測定装置２は、本体２０およびモニタ２１を備える。本体２０は少なくとも、ＣＰＵ２０１、Ｉ／Ｏ回路２０２、入力ユニット２０３、メモリユニット２０４、体脂肪測定ユニット２０５、血圧測定ユニット２０６、血糖値測定ユニット２０７、体温測定ユニット２０８および低周波出力ユニット２０９を備える。ここでのＣＰＵ２０１は、Ｉ／Ｏ回路２０２によって上述の測定ユニット２０４〜２０９と電気的に接続され、電気変換を行った後、ＣＰＵ２０１にメモリユニット２０４が加わって演算を行い、その後、入力ユニット２０３の制御信号を通じて上述の測定ユニット２０４〜２０９の測定情報をモニタ２１に表示する。
【０００４】
図３は、図２に示す医療用測定装置の操作例を示す模式図である。図３において、医療用測定装置２に血糖値試験片３０を設置した後、使用者が入力ユニット２０３を通じて血糖値測定ユニット２０７を起動して血糖値試験片３０の測定を行い、その後、血糖値測定ユニット２０７はＩ／Ｏ回路２０２を経由して測定に関する電気信号をＣＰＵ２０１に伝送し、メモリユニット２０４が加わって演算を行い、その後、取得された血糖値試験片３０の測定データまたは結果をモニタ２１に表示する。
【０００５】
上述の従来技術による医療用測定装置の表示方法について述べると、モニタには通常画像、図形、文字、音声またはそれらを組み合わせた形式によって測定された情報が表示され、その目的は使用者にモニタ上のデータ、文字または結果を分かりやすく示すことにある。
【０００６】
しかしながら、この従来技術によっては、モニタを見る人間が、看護師、医師および患者、看護師および患者、看護師、医師、患者および患者の家族、或いは看護師、患者および患者の家族など、複数の場合が考慮されておらず、モニタを見る人間全員がモニタの前に立つ必要があり、実務上非常に不便である。また、この問題を解決するために採用されている方法として、モニタを増設して多くの人間が様々な位置でモニタを見る方法があるが、この方法においてはコストが大幅に増加するだけでなく、医療用測定装置から多くのケーブルを外接モニタに接続する必要があり、携帯に非常に不便である。
【考案の開示】
【考案が解決しようとする課題】
【０００７】
本考案の第１の目的は、単一の複数の視野角から見ることができるモニタを備えることによって、モニタを見る全ての人間がモニタの前に立つ必要がないようにした医療用測定装置を提供することにある。
【０００８】
本考案の第２の目的は、単一の複数の視野角から見ることができるモニタを備えることによって従来技術のように複数のモニタを増設する必要がなく、上述の増設モニタおよびケーブルなど不必要なコストが必要ない医療用測定装置を提供することにある。
【０００９】
本考案の第３の目的は、従来技術の欠点を解決できる以外に、医療用測定装置の携帯性を保つことができる医療用測定装置を提供することにある。
【課題を解決するための手段】
【００１０】
上述の問題を解決するために、本考案の医療用測定装置は、少なくとも本体および透明表示ユニットを備え、前記本体は、少なくとも体温、脈拍、血圧、血糖、血中酸素、尿酸、コレステロール、ＰＨ値、体脂肪または骨密度などの情報を測定するのに使用される。前記透明表示ユニットは、互いに対応した二つの表示面を備え、画像、図形または文字などの形式によって上述の情報を表示する。また、この透明表示ユニットの表示面は、鏡による反射または反転によって表示面に同一の情報を表示する。また、更に優れた表示品質を提供するために、透明表示ユニットには少なくとも一つの光源を備えることができ、表示を補助する。さらに、上述の透明表示ユニットの光源は、有色光源とすることができ、それによって透明表示ユニットに色の変化を与えることができる。注意すべき点としてここでの透明表示ユニットの透明度は設計者の必要に応じて０％より大きく１００％以下の間にすることができる。或いは、この透明表示ユニットは設計者の必要に応じて少なくとも一色のレンズを備えた透明表示ユニットとすることができる。この透明表示ユニットは、一般的な表示面板及び表示面板上へ塗装する電気抵抗膜から構成する。
【００１１】
すなわち、本考案の医療用測定装置は、本体及び透明表示ユニットを備え、該本体は少なくとも体温、脈拍、血圧、血糖、血中酸素、尿酸、コレステロール、ＰＨ値、体脂肪または骨密度などの情報を測定するのに使用され、前記透明表示ユニットは互いに対応した二つの表示面を備え、画像、図形または文字などの形式によって上述の情報を表示する。前記透明表示ユニットの表示面は、鏡による反射または反転によって表示面に同一の情報を表示することができる。更に、優れた表示品質を提供するために、透明表示ユニットには少なくとも一つの光源を備えることができ、表示を補助する。上述の透明表示ユニットの光源は有色光源とすることができ、それによって透明表示ユニットに色の変化を与えることができる。
【考案の効果】
【００１２】
本考案による医療用測定装置によれば、単一の複数の視野角から見ることができるモニタを備えることによって、モニタを見る全ての人間がモニタの前に立つ必要がないといった効果を有する。
【考案を実施するための最良の形態】
【００１３】
以下、図面を参照して本考案の実施例を説明する。
【００１４】
図４は、本実施例に係る医療用測定装置を示す模式図である。図中、医療用測定装置４は本体４０および透明表示ユニット４１を備える。本実施例において本体４０は使用者の情報４０１を測定するのに使用される。前記透明表示ユニット４１は、第１の表示面４１１および第２の表示面４１２を備え、使用者の情報４０１を表示するのに同時に使用される。
【００１５】
図５は、本考案の医療用測定装置の一実施例を示す模式図である。図中、医療用測定装置５は本体４０および透明表示レンズ５１を備える。本実施例において本体４０は、使用者の情報４０１を測定するのに使用される。透明表示レンズ５１が、使用者の情報４０１を正面表示面５１１に表示するとき、使用者は透明表示レンズ５１の背面表示面５１２も見ることができる。ただし、このとき、使用者が見る背面表示面５１２の画像は左右反対になる。そのため、背面表示面５１２には鏡による反射または反転によって背面表示面５１２および正面表示面５１１に同一の画像の情報４０１を表示することができる。
【００１６】
図６は、本考案の医療用測定装置のその他の実施例を示す図である。図中左において、医療用測定装置６は本体６０および透明表示モニタ６１を備える。図中右において、透明モニタ６１は、第１の表示面６１１および第２の表示面６１２を備え、複数の人間が両側から本体６０が測定した情報を見ることができる。
【００１７】
図７は、本考案の医療用測定装置のその他の実施例を示す図である。図中左において、医療用測定装置７は本体７０および透明表示モニタ７１を備える。図中右において、透明モニタ７１は図６と同様に第１の表示面７１１および第２の表示面７１２を備え、複数の人間が両側から本体７０が測定した情報を見ることができる。
【００１８】
上述の説明は、本考案の実施例を示したものであり、本考案の範囲を限定するものではなく、本考案の主旨を逸脱しない範囲において変更および付加などを行うことができ、本考案の保護範囲は実用新案登録請求の範囲の記述に準ずる。
【図面の簡単な説明】
【００１９】
【図１】従来技術による医療用測定装置の一例を示す模式図である。
【図２】従来技術による医療用測定装置の他の一例を示す模式図である
【図３】図２に示す医療用測定装置の操作例を示す模式図である。
【図４】本考案の医療用測定装置の一実施例を示す模式図である。
【図５】本考案の医療用測定装置の一実施例を示す模式図である。
【図６】本考案の医療用測定装置のその他の実施例を示す図である。
【図７】本考案の医療用測定装置のその他の実施例を示す図である。
【符号の説明】
【００２０】
４、５、６、７  医療用測定装置
４０、６０、７０  本体
４１  透明表示ユニット
５１  透明表示レンズ
６１、７１  透明表示モニタ
４１１、６１１、７１１  第１の表示面
５１１  正面表示面
４１２、６１２、７１２  第２の表示面
５１２  背面表示面
４０１  情報
【図１】
0003132045.tif 000003
【図２】
0003132045.tif 000004
【図３】
0003132045.tif 000005
【図４】
0003132045.tif 000006
【図５】
0003132045.tif 000007
【図６】
0003132045.tif 000008
【図７】
0003132045.tif 000009